(57)【特許請求の範囲】
【請求項１】
物体Ａと物体Ｂとを連結して固定した構造であって、
物体Ａに筒状体が設けられ、
物体Ｂに該筒状体に挿入された挿入体が設けられ、
該筒状体からの該挿入体の抜出を阻止する抜出阻止手段が設けられている物体の取付構造において、
該物体Ａと物体Ｂとの間に伸長体を介在させて物体Ａ，Ｂを離間方向に押圧した物体の取付構造であって、
前記伸長体は外周に雄ねじを有した小リングと、該雄ねじに噛合した雌ねじを有した大リングとからなり、
該物体Ａは水栓であり、該物体Ｂは壁であることを特徴とする物体の取付構造。
【請求項２】
物体Ａと物体Ｂとを連結して固定した構造であって、
物体Ａに筒状体が設けられ、
物体Ｂに該筒状体に挿入された挿入体が設けられ、
該筒状体からの該挿入体の抜出を阻止する抜出阻止手段が設けられている物体の取付構造において、
該物体Ａと物体Ｂとの間に伸長体を介在させて物体Ａ，Ｂを離間方向に押圧した物体の取付構造であって、
前記伸長体は外周に雄ねじを有した小リングと、該雄ねじに噛合した雌ねじを有した大リングとからなり、
該物体Ａは壁であり、該物体Ｂは水栓であることを特徴とする物体の取付構造。
【請求項３】
請求項１において、前記小リング及び大リングは、前記筒状体及び挿入体に対し同軸的に配置されていることを特徴とする物体の取付構造。
【請求項４】
請求項２において、前記小リング及び大リングは、前記筒状体及び挿入体に対し同軸的に配置されていることを特徴とする物体の取付構造。
【請求項５】
請求項３において、前記筒状体は該水栓から突設された接続突管であり、
前記挿入体は壁面から突出する給水管であり、
前記抜出阻止手段は、
該給水管の外周面に周方向に延設された凹溝と、
該接続突管に設けられたボール保持孔及び該ボール保持孔内に配置されたボールと、
該接続突管に外嵌しており、該接続突管の管軸と平行方向に移動可能であり、該ボールの前記給水管の凹溝内からの退出を阻止している筒状スライダとを備えてなることを特徴とする物体の取付構造。
【請求項６】
請求項４において、該壁に設けられた壁孔に前記筒状体が固定されており、
前記挿入体は該水栓から突設された接続突管であり、
前記抜出阻止手段は、該接続突管の外周面に周方向に延設された凹溝と、
該筒状体の内周面に該筒状体と同軸的に設けられ、筒状体の軸心線方向と平行方向に移動自在な筒状のスライダと、
該筒状体の内周面に設けられた小径部及び大径部と、
該スライダに設けられたボール保持孔と、
該ボール保持孔内に配置され、該小径部と接続突管の該凹溝とに係合しているボールとを備えてなり、
前記小リング及び大リングは、該挿入体のうち壁から露出した部分に配置されていることを特徴とする物体の取付構造。
【発明の詳細な説明】
【０００１】
【発明の属する技術分野】
本発明は水栓を壁に固定した構造に関するものであり、詳しくはワンタッチジョイントによって水栓を壁に取り付けた後、この水栓のガタツキを無くすように伸長部材を水栓と壁との間で伸長させるよう構成した物体の取付構造に関する。
【０００２】
【従来の技術】
ワンタッチジョイントによって水栓を壁に固定した従来例が特開平９−１５１５０１号に記載されているので、同号公報の第００４欄〜第００８欄に示される構成を次に記載すると共に、同号公報の図１，２のものを第３図及び第４図として添付する。
【０００３】
水栓本体１には水栓本体内で混合する湯水の温度を調節できる温調ハンドルと、吐水状態を開閉操作する開閉ハンドルが設けられている。水栓本体１の後面には後方側へ突出する接続突管４，４が一対形成され、この各接続突管４，４のボール保持孔４Ｈにはボール５，５が組み込まれたものとなっており、また、接続突管４の内周にはＯリング４Ｒが嵌め込まれている。
【０００４】
壁パネル７には予め給水管９と給湯管９がそれぞれナット８，８を介し固定されており、ナット８を締め付けることにより鍔部９ａが壁パネル７の前面側に当接して給水管および給湯管９，９が壁パネル７に固定される。
【０００５】
各給水管、給湯管９，９の前端には前方側へ突出して挿入部９ｂが形成されており、この挿入部９ｂを前記水栓本体１側の接続突管４内に挿入できるものとなっており、挿入した状態で前記ボール５が係脱できる係合溝９ｃが挿入部９ｂの外周に凹み状に形成されている。
【０００６】
前記接続突管４の外周には予め軸方向にスライド可能にスライダ６が外嵌されている。このスライダ６はバネ１０を介し常に後方側へ付勢されている。スライダ６が後方側へ移動した時にスライダ６の内周に突出されている押圧部６ｂが前記ボール５を内側に押圧して係合溝９ｃ内にボール５を係合させ、これにより挿入部９ｂが接続突管４から抜出不能となる。なお、挿入部９ｂが接続突管４内に挿着された時にはＯリング４Ｒによりシールが確保される。
【０００７】
前記スライダ６の後端部は拡径されたキャップ部６ａとなっており、このキャップ部６ａが前記鍔部９ａの外周を包囲して壁パネル７に当接する。
【０００８】
スライダ６、ボール５等によりワンタッチジョイントが構成されており、スライダ６を水栓本体１側に移動させた状態で前述した如く壁パネル７に固定されている給水管および給湯管９，９に対し接続突管４を嵌め込むと、バネ１０の付勢力によりスライダ６が壁パネル７側に移動し、これにより押圧部６ｂを介しボール５が内側へ押圧されて、ボール５が係合溝９ｃ内に嵌まり込んでワンタッチで接続が完了し、水栓本体１を壁パネル７の前側から給水管、給湯管９，９にワンタッチで接続させることができる。
【０００９】
この接続後に、第４図の如く、下側が開放されたＵ字状の断熱キャップ１１を上方よりスライダ６の外周に嵌め込んで化粧処理する。
【００１０】
この断熱キャップ１１の前端側には嵌合片１１ａが折曲形成されており、断熱キャップ１１をスライダ６の外周側に嵌め込んだ時には、この嵌合片１１ａがスライダ６の前端と水栓本体１間に形成される隙間内に嵌合されて、これによりスライダ６の前方側へのスライド移動が規制されることとなり、スライダ６はこの状態では動くことができないために不用意にスライダ６が移動して接続が解除されることがなく、良好な接続状態を維持できるものである。従って、ワンタッチジョイントを介しワンタッチで水栓本体１を取り付けて、その後に断熱キャップ１１を嵌め込むことにより、スライダ６がスライド不能となり、スライダ６が位置固定されて接続作業を完了することができ、極めて容易に水栓本体１の接続を壁パネル７の前側より行なうことができる。
【００１１】
【発明が解決しようとする課題】
上記第３，４図の従来例にあっては、ボール５とボール保持孔４Ｈ及び係合溝９ｃとの間に若干のクリアランスが存在するため、水栓の取付後においてこのクリアランス分だけ水栓１がガタつくことになる。
【００１２】
本発明は、かかる水栓のガタツキを解消することを目的とするものである。
【００１３】
【課題を解決するための手段】
本発明（請求項１）の物体の取付構造は、物体Ａと物体Ｂとを連結して固定した構造であって、物体Ａに筒状体が設けられ、物体Ｂに該筒状体に挿入された挿入体が設けられ、該筒状体からの該挿入体の抜出を阻止する抜出阻止手段が設けられている物体の取付構造において、該物体Ａと物体Ｂとの間に伸長体を介在させて物体Ａ，Ｂを離間方向に押圧した物体の取付構造であって、前記伸長体は外周に雄ねじを有した小リングと、該雄ねじに噛合した雌ねじを有した大リングとからなり、該物体Ａは水栓であり、該物体Ｂは壁であることを特徴とするものである。
本発明（請求項２）の物体の取付構造は、物体Ａと物体Ｂとを連結して固定した構造であって、物体Ａに筒状体が設けられ、物体Ｂに該筒状体に挿入された挿入体が設けられ、該筒状体からの該挿入体の抜出を阻止する抜出阻止手段が設けられている物体の取付構造において、該物体Ａと物体Ｂとの間に伸長体を介在させて物体Ａ，Ｂを離間方向に押圧した物体の取付構造であって、前記伸長体は外周に雄ねじを有した小リングと、該雄ねじに噛合した雌ねじを有した大リングとからなり、該物体Ａは壁であり、該物体Ｂは水栓であることを特徴とするものである。
【００１４】
かかる物体の取付構造にあっては、伸長体を伸長させて物体Ａ，Ｂ間に突っ張らせたものとすることにより、物体のガタツキが解消される。
【００１５】
この伸長体としては、外周に雄ねじを有した小リングと、該雄ねじに噛合した雌ねじを有した大リングとからなることが好ましい。この伸長体は、小リング及び大リングは、前記筒状体及び挿入体に対し同軸的に配置されていることが好ましい。
【００１６】
【発明の実施の形態】
第１図は実施の形態に係る物体の取付構造を示す断面図であり、前記第３図と同様の部分の断面を示している。
【００１７】
この実施の形態においても、筒状体としての接続突管４が水栓本体１の後面から突設されている。該接続突管４は水栓本体１と一体に鋳造により形成されている。
【００１８】
この接続突管４にスライダ６'が外嵌している。このスライダ６'の外周に小リング２０が外嵌している。この小リング２０はスライダ６'の軸心線と平行方向にスライド自在となっている。
【００１９】
小リング２０の内周とスライダ６'の外周とは同形の角形（例えば六角形）となっており、小リング２０はスライダ６'の周方向には回転不能となっている。
【００２０】
この小リング２０の外側に大リング３０が螺嵌している。この小リング２０の外周には雄ねじが設けられ、大リング３０の内周には雌ねじが設けられている。スライダ６'には、この小リング２０の抜けを阻止するためのＣリング２１が装着されている。
【００２１】
この実施の形態のその他の構成は第３図と同様であり、同一符号は同一部分を示している。
【００２２】
このように構成された物体の取付構造においては、第３図と同様に、壁パネル７に固着された挿入体としての挿入部９ｂを接続突管４内に差し込むことにより水栓本体１が給水管９に連結固定され、押圧部６ｂによってボール５が係合溝９ｃに押し込まれて係合することにより、接続突管４からの挿入部９ｂの抜け出しが阻止される。
【００２３】
このように水栓本体１を給水管９に連結した後、大リング３０を回し、該大リング３０を第１図の下方に螺進させる。そうすると、大リング３０の先端（第１図の下端）が水栓本体１の後面に押し付けられ、小リング２０の後端（第１図の上端）はスライダ６'のキャップ部６ａに押し付けられ、該キャップ部６ａが壁パネル７に押し付けられる。
【００２４】
即ち、小リング２０と大リング３０との螺合体よりなる伸長体が該キャップ部６ａを介して壁パネル７と水栓本体１との間に突っ張ったものとなり、水栓本体１のガタツキが全く生じないようになる。
【００２５】
水栓本体の交換やメンテナンス等のために水栓本体１を取り外すときには、大リング３０を逆方向に回して該大リング３０を第１図の上方側へ螺進させる。そうすると、上記伸長体の突っ張りが無くなり、スライダ６'が第１図の下方に移動可能となる。そこで、スライダ６'を下方にスライドさせ、ボール５と押圧部６ｂとの係合を解除する。これによりボール５が係合溝９ｃから退出自在となるので、水栓本体１を第１図の下方に引くことにより、挿入部９ｂが接続突管４から抜け出し、水栓本体１が給水管９から離れる。
【００２６】
第２図を参照して本発明の別の実施の形態について説明する。第２図は、壁パネル７に対し水栓本体４０を取り付けた構造を示すものであり、第１図と同様部分の断面を示している。
【００２７】
この水栓本体４０の後面からは挿入体としての接続突管４２が該水栓本体４０と一体に突設されている。この接続突管４２の外周面には後述のボール７４が係合する凹溝４４が設けられている。また、接続突管４２の先端にはＯリング４６が装着され、接続突管４２の基端側には段部４８が設けられている。
【００２８】
壁パネル７の壁孔７Ｈに対し前面側から取付管５０が挿入され、後面側から締込管６０が挿入されている。取付管５０のフランジ５２が壁パネル７の前面に当接し、この取付管５０の後端側内周面の雌ねじに対し締込管６０の先端側外周の雄ねじが螺合している。締込管６０の後端側の外周の雄ねじに対しナット６２が締め込まれることにより、この取付管５０と締込管６０の螺合体が壁パネル７に固定される。なお、前記Ｏリング４６は、この締込管６０の内周面に水密的に当接する。
【００２９】
この取付管５０の内周に沿って移動自在な筒状のスライダ７０が配置され、このスライダ７０にボール保持孔７２が複数個設けられ、ボール７４が収容されている。前記取付管５０には、このボール７４を押圧し、凹溝４４に押し込むための押圧部５４が設けられている。
【００３０】
前記締込管６０とこのスライダ７０との間に圧縮コイルバネ７６が配置され、スライダ７０が常に第２図の下方向に向って付勢されている。なお、取付管５０の内周面に設けられた段部５６に対しスライダ７０のフランジ７６が当接することにより、スライダ７０が第２図の下方に抜け出すことが阻止されている。
【００３１】
接続突管４２に小リング８０が外嵌し、この小リング８０の外周面に設けられた雄ねじに対し大リング９０の内周面の雌ねじが螺合している。小リング８０の内周面と接続突管４２の基端側の外周面とは、例えば六角形とされ、小リング８０の周方向への回転が阻止されている。なお、この小リング８０は接続突管４２の軸心線と平行方向にスライド自在となっている。
【００３２】
小リング８０には内向きの鍔部８２が設けられており、この鍔部８２が前記接続突管４２の段部４８に当接可能とされている。この鍔部８２とスライダ７０との間にスライドリング８４が介在されている。このスライドリング８４は接続突管４２の軸心線と平行方向にスライド自在となっている。
【００３３】
第２図に示す水栓取付構造とするには、壁パネル７に予め取付管５０及び締込管６０を装着、固定しておくと共に、この締込管６０の締め込みに先立って、取付管５０内にスライダ７０、ボール７４及びスプリング７６を配置しておく。
【００３４】
その後、接続突管４２をこの取付管５０及び締込管６０内に差し込み、凹溝４４にボール７４を係合させる。これにより、挿入体としての接続突管４２は取付管５０から抜け出し不能となるのであるが、ボール７４と凹溝４４との間に若干のクリアランスがあり、水栓本体４０に若干のガタがあるので、次に大リング９０を回して水栓本体４０を固定する。即ち、大リング９０を第２図の上方に向って螺進させ、その先端を取付管５０のフランジ５２に押し付けると共に、小リング８０の鍔部８２を接続突管４２の段部４８に押し付ける。これにより、小リング８０と大リング９０との螺合体よりなる伸長体が水栓本体４０と壁パネル７との間に突っ張った状態となり、水栓本体４０が固定される。
【００３５】
水栓本体４０を取り外すときには、大リング９０を回して第２図の下方に螺進させる。大リング９０の先端が水栓本体４０の後面に当接すると、小リング８０は第２図の上方に螺進し、鍔部４８がスライドリング８４を押す。これによりスライダ７０が第２図の上方（壁パネル７の裏方向）に向って移動し、ボール７４が取付管５０の押圧部５４から外れ、凹溝４４から退出可能となる。そこで、水栓本体１を引くことにより接続突管４２が取付管５０から抜け出し、水栓本体１が取り外される。
【００３７】
【発明の効果】
以上の通り、本発明によると水栓をワンタッチ式に固定する構造において、この水栓のガタツキを解消し、堅固な取付構造とすることができる。
【図面の簡単な説明】
【図１】実施の形態に係る取付構造を示す断面図である。
【図２】別の実施の形態に係る取付構造を示す断面図である。
【図３】従来例に係る構造を示す断面図である。
【図４】従来例の構造を示す斜視図である。
【符号の説明】
１  水栓本体
４  接続突管
５  ボール
６，６'  スライダ
７  壁パネル
７Ｈ  壁孔
９  給水管
９ｂ  挿入部（挿入体）
１０  バネ
２０  小リング
３０  大リング
４０  水栓本体
５０  取付管
６０  締込管
７０  スライダ
７２  ボール保持孔
７４  ボール
８０  小リング
９０  大リング
【図１】
0003785803.tif 000002
【図２】
0003785803.tif 000003
【図３】
0003785803.tif 000004
【図４】
0003785803.tif 000005